(57)【特許請求の範囲】
【請求項１】
露光用の開口部を有する地板と、前記地板の一方の側に配置されていて、前記開口部の開閉作動を行う少なくとも一つの羽根と、前記地板の他方の側に配置されていて、前記羽根に前記開口部の開閉作動を行わせる駆動機構と、前記地板から該地板の他方の側に立設されていて、軸部と該軸部よりも径方向に突出する鍔部を有する軸体及び前記軸部における少なくとも一部の外周面に回転可能に嵌合し、且つ、その一端縁が前記鍔部に当接する管状部材からなり、前記駆動機構を構成する少なくとも一つの部材を、前記軸部を中心として回転可能に支持する少なくとも一つの回転軸と、を有するカメラ用フォーカルプレンシャッタにおいて、
少なくとも一つの前記回転軸における前記軸体の鍔部と前記管状部材の一端縁との当接箇所の周囲を覆い、且つ、その一端縁で前記地板の面と接合するスリーブを設けたことを特徴とするカメラ用フォーカルプレンシャッタ。
【請求項２】
前記スリーブは、第１の筒部と、前記第１の筒部に続く前記地板側に設けられていて該第１の筒部よりも大きな径の内壁面を有し、当該軸体の鍔部と当該管状部材の一端縁との当接箇所から飛散する潤滑剤を溜める第２の筒部を備えていることを特徴とする請求項１に記載のカメラ用フォーカルプレンシャッタ。
【請求項３】
前記地板と前記スリーブとの接合箇所にオイル吸着シートを備えたことを特徴とする請求項１又は２に記載のカメラ用フォーカルプレンシャッタ。
【請求項４】
請求項１〜３のいずれかに記載のカメラ用フォーカルプレンシャッタを備えていることを特徴とするデジタルカメラ。
【発明の詳細な説明】
【技術分野】
【０００１】
本発明は、羽根の開閉を行う駆動機構に軸を中心として回転する部材を備えたカメラ用フォーカルプレンシャッタ、及びそれを備えたデジタルカメラに関する。
【背景技術】
【０００２】
一般に、フォーカルプレンシャッタは、例えば、次の特許文献１に示すように、露光用の開口を有する地板と、地板の一方の側に配置されていて開口部の開閉作動を行う少なくとも一つの羽根と、地板の他方の側に配置されていて羽根に開口の開閉作動を行わせる駆動機構を有した構成となっている。
【０００３】
駆動機構は、例えば、アームを介して羽根に連結されていて羽根を開閉させる羽根駆動部材、羽根駆動部材の露光作動開始を制御する電磁石、羽根駆動部材を露光作動開始位置（セット位置）にセットするセット部材、羽根駆動部材を作動させるための駆動ばね等を有している。また、係止タイプのシャッタにおける駆動機構では、さらに、羽根駆動部材をセット位置に係止する係止部材を有する。また、駆動機構は、この他にも、例えば、羽根駆動部材を介した羽根の開閉時の衝撃による羽根のバウンドを低減させるための制動部材やバウンド抑止部材を有して構成されうる。
【０００４】
そして、駆動機構を構成するこれらの羽根駆動部材、係止部材、セット部材、制動部材やバウンド抑止部材は、一般に、夫々回転軸に回転可能に支持された構成となっている。
【０００５】
図８は、従来のフォーカルプレンシャッタの駆動機構を構成する部材を回転可能に支持する一般的な回転軸の構成を示す断面図である。
従来、フォーカルプレンシャッタの駆動機構を構成する部材に用いられている回転軸は、一般に、軸体５１と、管状部材５２とで構成される。
軸体５１は、地板５３から、地板５３における羽根とは反対側の面に立設されていて、軸部５１ａと軸部５１ａよりも径方向に突出する鍔部５１ｂを有する。また、軸体５１は、後述する潤滑剤を溜めるための断面がＶ形状の溝５１ｃを有する。
管状部材５２は、軸部５１ａにおける外周面５１ａ１に回転可能に嵌合し、且つ、その一端縁５２ａが鍔部５１ｂに当接するように形成されている。また、管状部材５２は、フォーカルプレンシャッタの駆動機構を構成する所定の構成部材５４を取り付けて支持することができるように構成されている。
そして、回転軸は、軸部５１ａを中心として構成部材５４を回転させることができる。
【０００６】
また、一般に、フォーカルプレンシャッタにおいて羽根を開閉させる駆動機構に備わる回転軸における、軸体と管状部材との嵌合部には、これらの相対的な回転による磨耗を低減させるために、例えば、オイルやグリスといった潤滑剤が充填されている。
【０００７】
このようなフォーカルプレンシャッタの駆動機構を構成する部材に用いられる回転軸は、羽根の開閉作動に際し、軸体と管状部材とが相対的に摺動しながら高速に回転し、瞬時に停止する。さらに、連写時にはこれら高速回転と停止の動作を高速で繰り返す。このため、回転軸の回転時に軸体と管状部材との間に介在する潤滑剤に遠心力が大きく働き、回転軸が停止した瞬間に、図８に示したような鍔部５１ｂと一端部５２ａとの当接部から潤滑剤が周囲に飛散して羽根その他の構成部材を汚染するリスクが生じうる。
例えば、フォーカルプレンシャッタの地板には羽根駆動部材が走行するための長孔等、地板に設けられた開口が設けられている。このため、潤滑剤が飛散して上記長孔等、地板に設けられた開口に入った場合、潤滑剤が長孔等、地板に設けられた開口を通じて羽根側に浸入して羽根を汚染するリスクが生じうる。また、フォーカルプレンシャッタの地板には、羽とは反対側に駆動機構を制御する制御部が設けられている。このため、潤滑剤が飛散して制御部内側を汚染するリスクも生じうる。そして、羽根や制御部内側が汚染すると、羽根の走行精度や、羽根の駆動制御に悪影響を及ぼすリスクが高くなる。
【０００８】
従来、フォーカルプレンシャッタにおいて汚染を防止する技術としては、例えば、次の特許文献２に、フォーカルプレンシャッタの駆動機構に飛来する塵埃を遮断するために、地板に起立状態に折り曲げ可能な壁部を設けることが提案されている。
【先行技術文献】
【特許文献】
【０００９】
【特許文献１】特開２０１１−１９１３４２号公報
【特許文献２】特開２００３−１９５３９０号公報
【発明の概要】
【発明が解決しようとする課題】
【００１０】
しかるに、本件出願人は、フォーカルプレンシャッタの駆動機構を構成する部材に用いられる回転軸からの潤滑剤の飛散を防止する手段として、特許文献２に記載の壁部を応用することについて検討した結果、次のような課題があることが判明した。
特許文献２に記載の壁部を、フォーカルプレンシャッタの駆動機構を構成する部材に用いられる回転軸からの潤滑剤の飛散を防止する手段として用いた場合、特許文献２に記載の壁部は、特定方向へは潤滑剤の飛散を遮断できても回転軸を中心とした全方向へまでは潤滑剤の飛散を遮断できず、駆動機構を制御する基板等の制御部内側への潤滑剤による汚染のリスクが生じうる。
【００１１】
また、フォーカルプレンシャッタの駆動機構を構成する羽根駆動部材、係止部材、セット部材、制動部材やバウンド抑止部材等の構成部材は、回転軸を中心として回転する先端が回転軸位置から所定長の長さを有し、しかもそれらの一部が回転軌跡上で交差し且つ、互いの回転を妨げないように地板からの高さ位置をずらした非常に複雑な配置となっている。このため、特許文献２に記載のフォーカルプレンシャッタのような、壁部を用いることは、そもそも、駆動機構における夫々の回転軸を用いた構成部材の作動を邪魔し、また、配置スペースの観点からみても非常に難しい。
【００１２】
また、本件出願人は、図８に示した回転軸５１における鍔部５１ｂと一端部５２ａとの当接部から潤滑剤が周囲に飛散するのを防止する手段として、軸体５１における鍔部５１ｂの周縁部に地板５３から離れる方向に向かって円筒状の壁を設けることについて検討したが、軸体５１において鍔部５１ｂの周縁部にそのような円筒状の壁を設けようとすると形状が非常に複雑化するため、軸体として一体形成することが極めて難しい。
【００１３】
本発明は、このような問題点を解決するためになされたものであり、その目的とするところは、回転軸を用いた駆動機構を構成する部材の作動に伴う潤滑剤の飛散を防止し、羽根及び駆動機構内の潤滑剤による制御部内側や羽根への汚染のリスクを回避可能なカメラ用フォーカルプレンシャッタ、及びそれを備えたデジタルカメラを提供することである。
【課題を解決するための手段】
【００１４】
上記の目的を達成するために、本発明によるカメラ用フォーカルプレンシャッタは、露光用の開口部を有する地板と、前記地板の一方の側に配置されていて、前記開口部の開閉作動を行う少なくとも一つの羽根と、前記地板の他方の側に配置されていて、前記羽根に前記開口部の開閉作動を行わせる駆動機構と、前記地板から該地板の他方の側に立設されていて、軸部と該軸部よりも径方向に突出する鍔部を有する軸体及び前記軸部における少なくとも一部の外周面に回転可能に嵌合し、且つ、その一端縁が前記鍔部に当接する管状部材からなり、前記駆動機構を構成する少なくとも一つの部材を、前記軸部を中心として回転可能に支持する少なくとも一つの回転軸と、を有するカメラ用フォーカルプレンシャッタにおいて、少なくとも一つの前記回転軸における前記軸体の鍔部と前記管状部材の一端縁との当接箇所の周囲を覆い、且つ、その一端縁で前記地板の面と接合するスリーブを設けたことを特徴としている。
【００１５】
また、本発明のカメラ用フォーカルプレンシャッタにおいては、前記スリーブは、第１の筒部と、前記第１の筒部に続く前記地板側に設けられていて該第１の筒部よりも大きな径の内壁面を有し、当該軸体の鍔部と当該管状部材の一端縁との当接箇所から飛散する潤滑剤を溜める第２の筒部を備えているのが好ましい。
【００１６】
また、本発明のカメラ用フォーカルプレンシャッタにおいては、前記地板と前記スリーブとの接合箇所にオイル吸着シートを備えるのが好ましい。
【００１７】
更に、本発明のデジタルカメラは、上記のような各カメラ用フォーカルプレンシャッタを備えている。
【発明の効果】
【００１８】
本発明のカメラ用フォーカルプレンシャッタによれば、回転軸における軸体の鍔部と管状部材の一端縁との当接箇所の周囲を覆い、且つ、その一端縁で地板の面と接合するスリーブを設けたので、軸体の鍔部と管状部材の一端部との当接箇所から潤滑剤が飛び出ても、飛び出た直後の潤滑剤をスリーブの内壁が遮断するため、回転軸を中心とした全方向への潤滑剤の飛散を防止できる。その結果、駆動機構を制御する基板等の制御部内側への潤滑剤による汚染のリスクや、潤滑剤が長孔等、地板に設けられた開口を通じて羽根側に浸入して羽根を汚染するリスクを回避できる。
また、本発明のカメラ用フォーカルプレンシャッタによれば、スリーブを、回転軸と同軸に回転軸における軸体の鍔部と管状部材の一端縁との当接箇所の周囲を覆うように設けたので、スリーブが駆動機構における夫々の回転軸を用いた構成部材の作動を邪魔しない。また、スリーブであれば、回転軸の軸まわりの僅かなスペースで地板への配置が可能となる。
【００１９】
また、本発明のカメラ用フォーカルプレンシャッタにおいて、スリーブを、第１の筒部と、第１の筒部に続く地板側に設けられていて該第１の筒部よりも大きな径の内壁面を有し、当該軸体の鍔部と当該管状部材の一端縁との当接箇所から飛散する潤滑剤を溜める第２の筒部を備えて構成すれば、長期間にわたる使用により、当該軸体の鍔部と当該管状部材の一端縁との当接箇所から飛び出す潤滑剤の量が増えても、第２の筒部で潤滑剤を溜めておくことにより、スリーブと地板との接合箇所からの潤滑剤の浸み出しを確実に防止することができ、潤滑剤が長孔等、地板に設けられた開口を通じて羽根側に浸入して羽根を汚染するリスクをより確実に回避できる。
【００２０】
また、本発明のカメラ用フォーカルプレンシャッタにおいて、地板とスリーブとの接合箇所にオイル吸着シートを備えれば、スリーブと地板との接合箇所からの潤滑剤の浸み出しを一層確実に防止することができ、潤滑剤が長孔等、地板に設けられた開口を通じて羽根側に浸入して羽根を汚染するリスクをより一層確実に回避できる。
【図面の簡単な説明】
【００２１】
【図１】本発明における特徴的な構成である回転軸の構成を適用可能なカメラ用フォーカルプレンシャッタの一構成例を示す平面図である。
【図２】図１のフォーカルプレンシャッタにおける駆動機構を構成する各部材を示す平面図である。
【図３】図１のカメラ用フォーカルプレンシャッタに本発明における特徴的な構成である回転軸の構成を適用した、本発明の一実施例にかかるカメラ用フォーカルプレンシャッタにおける駆動機構を構成する一つの部材を示す斜視図である。
【図４】図３に示した駆動機構を構成する一つの部材に適用した回転軸の構成の断面図である。
【図５】図３に示した駆動機構を構成する一つの部材に適用した回転軸を構成するスリーブの構造を示す図で、(a)は斜め下方からみた斜視図、(b)は斜め上方からみた斜視図である。
【図６】本実施例のフォーカルプレンシャッタにおける、図３に示した駆動機構を構成する一つの部材の露光走行前の一つの状態を示す平面図である。
【図７】本実施例のフォーカルプレンシャッタにおける、図３に示した駆動機構を構成する一つの部材の露光走行後の一つの状態を示す平面図である。
【図８】従来のフォーカルプレンシャッタの駆動機構を構成する部材を回転可能に支持する一般的な回転軸の構成を示す断面図である。
【発明を実施するための形態】
【００２２】
本発明の実施の形態を、図示した実施例によって説明する。なお、以下の実施例では、係止タイプのフォーカルプレンシャッタの構成に本発明における特徴的な構成である回転軸の構成を適用して説明することとするが、本発明における特徴的な構成である回転軸の構成は、ダイレクトタイプとして構成したものにも適用することが可能である。
【実施例】
【００２３】
先ず、主に、図１、図２を用いて、本発明における特徴的な構成である回転軸の構成を適用可能なフォーカルプレンシャッタの構成を説明する。図１は、本発明における特徴的な構成である回転軸の構成を適用可能なカメラ用フォーカルプレンシャッタの一構成例を示す平面図である。図２は、図１のフォーカルプレンシャッタにおける駆動機構を構成する各部材を示す平面図である。尚、本説明においては、フォーカルプレンシャッタをカメラに組み込んだとき、図１、図２の表面側（手前側）が被写体側（撮影レンズ側）であり、図１の背面側が撮像素子側であることを前提にして説明する。しかしながら、周知のように、デジタルカメラの場合には、図１、図２の表面側を撮像素子側にし、図１、図２の背面側を被写体側にすることもある。
【００２４】
図１、図２において、シャッタ地板１は合成樹脂製であり、略中央部には横長の長方形をした露光用の開口部１ａが形成されている。シャッタ地板１の背面側には、例えば、上記の特開２０１１−１９１３４２号公報に記載されているように、中間板２と補助地板（符号省略）が、所定の間隔を空けて順に取り付けられていて、シャッタ地板１と中間板２の間に先羽根用の羽根室、中間板２と補助地板（符号省略）の間に後羽根用の羽根室を構成している。また、中間板２や補助地板（符号省略）にも開口部１ａの形状や大きさが略同様の開口部２ａ等が形成されている。そして、被写体光を通過させるためのシャッタユニットとしての露光開口の形状は、それらの開口部の少なくともいずれかによって形成され、本実施例においては、開口部１ａの形状だけで露光開口の形状が決められている。
【００２５】
また、シャッタ地板１には、開口部１ａの左側の領域に、円弧状の二つの長穴１ｂ，１ｃが形成され、それらの下端部には、ゴム製の緩衝部材４，５が取り付けられている。
【００２６】
図１、図２の表面側において、シャッタ地板１には、開口部１ａの左側の領域に、シャッタ駆動機構３が取り付けられている。シャッタ駆動機構３の具体的な構成としては、例えば、上記の特開２０１１号公報に記載されているように、先羽根と後羽根に各々連結された二つの駆動部材（先羽根用駆動部材１０,後羽根用第１駆動部材１１及び後羽根用第２駆動部材）、それらの二つの駆動部材の作動開始を各々制御するための図示していない二つの電磁石（先羽根用電磁石，後羽根用電磁石）、それらの二つの駆動部材をセットするセット部材（セット部材１３）、それらの二つの駆動部材を係止する係止部材（先羽根用係止部材１６，後羽根用係止部材１７）、それらの二つの駆動部材を各々作動させるための図示していない二つの駆動ばね（先羽根用駆動ばね，後羽根用駆動ばね）、などが含まれる。また、シャッタ駆動機構３の被写体側（図１の表面側）には、通常、シャッタ駆動機構３を構成するそれらの部材を取り付けるのに必要な支持板（図示省略）やプリント配線板（図示省略）などが配置されている。
【００２７】
先羽根用駆動部材１０は、シャッタ地板１に立設された軸１ｇに回転可能に取り付けられており、図示していない先羽根用駆動ばねによって、時計方向（図２の矢印Ａ方向）へ回転するように付勢されている。
そして、先羽根用駆動部材１０は、被係止部１０ａを有しており、被写体側（図１の表面側）の面にはローラー１０ｂを回転可能に取り付け、シャッタ地板１側には駆動ピン１０ｃを有している。駆動ピン１０ｃは、シャッタ地板１の長孔１ｂを貫通しており、根元部が緩衝部材４に当接し得るようになっていて、先端部は、羽根室内で先羽根に連結されている。
なお、軸１ｇは、シャッタ地板１を貫通して背面側にも立設されている。
【００２８】
後羽根用第１駆動部材１１、後羽根用第２駆動部材１２は、シャッタ地板１に立設された軸１ｈに、後羽根用第１駆動部材１１をシャッタ地板１側にして、個々に回転可能に取り付けられている。
また、後羽根用第１駆動部材１１は、被写体側（図１の表面側）に円柱形をした係合部１１ａを設けており、シャッタ地板１側には駆動ピン１１ｂを有している。駆動ピン１１ｂは、シャッタ地板１の長孔１ｃを貫通しており、根元部が緩衝部材５に当接し得るようになっていて、先端部は、羽根室内で後羽根に連結されている。
なお、軸１ｈは、シャッタ地板１を貫通して背面側にも立設されている。
【００２９】
後羽根用第２駆動部材１２は、図示していない後羽根用駆動ばねによって時計方向（図２の矢印Ｂ方向）へ回転するように付勢されている。
また、後羽根用第２駆動部材１２は、被係止部１２ａと、係合部１１ａを挿入させた窓部１２ｂとを有していて、被写体側（図１の表面側）にはローラー１２ｃを回転可能に取り付けている。また、後羽根用第２駆動部材１２と上記の後羽根用第１駆動部材１１との間に、図示していないセットばねが掛けられていて、後羽根用第２駆動部材１２を時計方向へ回転させ、後羽根用第１駆動部材１１を反時計方向へ回転させるように付勢している。
【００３０】
セット部材１３は、シャッタ地板１に立設された軸１ｉに回転可能に取り付けられており、図示していないばねによって、反時計方向（図２の矢印Ｃ方向）へ回転するように付勢されている。
また、セット部材１３は、シャッタ地板１側の面に、先羽根用駆動部材１０のローラー１０ｂに接触し得るローラー１３ａと、後羽根用第２駆動部材１２のローラー１２ｃに接触し得るローラー１３ｂとを回転可能に取り付けている。
また、セット部材１３には、リンク部材１５を介して、セット操作部材１４と連結されるための孔が形成されている。
【００３１】
セット操作部材１４は、シャッタ地板１に立設された軸１ｊに回転可能に取り付けられている。
また、セット操作部材１４は、カメラ本体側の部材によって操作されるローラー１４ａを回転可能に取り付けていると共に、シャッタ地板１側の面に軸１４ｂを立設している。
リンク部材１５には一端に孔が形成されていて、そこに、セット操作部材１４の軸１４ｂが回転可能に嵌合している。また、リンク部材１５の他端には、被写体側（図１の表面側）にピン１５ａが設けられ、そのピン１５ａと同心となるようにしてシャッタ地板１側には軸が立設されている。そして、その軸が、セット部材１３に形成されている孔に回転可能に嵌合している。図１においては、セット操作部材１４は、セット部材１３が図示していないばねの付勢力によって反時計方向へ回転したのに伴って、リンク部材１５を介して反時計方向へ回転させられ、緩衝部材９をストッパとして停止させられた状態になっている。
【００３２】
先羽根用係止部材１６は、シャッタ地板１に立設された軸１ｋに回転可能に取り付けられていて、図示していないばねによって反時計方向（図２の矢印Ｄ方向）へ回転するように付勢されている。
また、先羽根用係止部材１６は、シャッタ地板１側に折り曲げた係止部１６ａを有している。係止部１６ａは、先羽根用駆動部材１０の被係止部１０ａを係止し、先羽根用駆動部材１０の時計方向への回転を阻止するためのものである。また、先羽根用係止部材１６は、被写体側（図１の表面側）に折り曲げた折曲部の上端に、さらに被写体側（図１の表面側）に突出させた被押動部１６ｂを有している。
【００３３】
後羽根用係止部材１７は、シャッタ地板１に立設された軸１ｍに回転可能に取り付けられていて、図示していないばねによって時計方向（図２の矢印Ｅ方向）へ回転するように付勢されている。
また、後羽根用係止部材１７は、シャッタ地板１側に折り曲げた係止部１７ａと、被写体側（図１の表面側）に折り曲げた被押動部１７ｂを有している。係止部１７ａは、後羽根用第２駆動部材１２の被係止部１２ａを係止し、後羽根用駆動部材１２の時計方向への回転を阻止するためのものである。
【００３４】
その他、シャッタ地板１には、開口部１ａの左側の領域に、三つの柱１ｄ，１ｅ，１ｆが立設されている。それらのうち、柱１ｆは、その先端に形成されているねじ孔に図示していないねじを螺合させることによって、図示していない支持板を取り付けている。また、柱１ｄ，１ｅは、長さ方向の途中で図示していない支持板を取り付けているほか、図示していない支持板に立設されている柱及び軸と共に、それらの先端に形成されているねじ孔に図示していないねじを螺合させることにより、図示していないカバー板を取り付けている。また、柱１ｄには、リング状の緩衝部材９が取り付けられている。
【００３５】
図示していない支持板には、例えば、上記の特開２０１１号公報に記載されているように、シャッタ地板１側へ向けて設けられた所定の軸に、図示していない補助セット部材が回転可能に取り付けられている。
補助セット部材は、セット部材１３が時計方向へ回転すると反時計方向へ回転し、その後、セット部材が反時計方向へ回転すると時計方向へ回転するようになっている。また、補助セット部材は、押動部を有している。
また、図示していない支持板には、例えば、上記の特開２０１１号公報に記載されているように、先羽根用電磁石と後羽根用電磁石、先羽根用係止解除部材と後羽根用係止解除部材、ホールド部材及びホールド補助部材、レリーズ部材、抑止部材が取り付けられている。
先羽根用係止解除部材は、図示していない支持板に設けられたさらに他の軸に回転可能に取り付けられ、図示していない先羽根用解除ばねによって時計方向へ回転するように付勢されており、先羽根用係止部材１６の被押動部１６ｂを押す押動部を有し、先端部には鉄片部材を取り付けている。
後羽根用係止解除部材は、図示していない支持板に設けられたさらに他の軸に回転可能に取り付けられ、図示していない後羽根用解除ばねによって反時計方向へ回転するように付勢されており、後羽根用係止部材１７の被押動部１７ｂを押す押動部を有し、先端部には鉄片部材を取り付けている。
【００３６】
ホールド部材及びホールド補助部材は、図示していない支持板に設けられたさらに他の軸に回転可能に取り付けられ、ホールド部材は、図示していない第１のばねによって時計方向に付勢されており、先端には押圧部材が取り付けられている。ホールド部材とホールド補助部材との間には、ホールド部材を反時計方向へ回転させるように付勢し、ホールド補助部材を時計方向へ回転させるように付勢する図示していない第２のばねが掛けられている。
そして、ホールド部材は、セット状態においては、押圧部材を介して上記の二つの係止解除部材を上記の二つの解除ばねの付勢力に抗して押圧し上記の二つの鉄芯部材に接触させ、撮影に際して二つの電磁石のコイルに通電されると押圧力を解き二つの係止解除部材の作動軌跡外に作動させられるようになっている。また、ホールド補助部材は、被押動部を有し、補助セット部材の押動部によって押され得るようになっている。
レリーズ部材は、図示していない支持板に設けられたさらに他の軸に回転可能に取り付けられ、図示していないばねによって、反時計方向へ回転するように付勢されており、一方の腕部の先端に係止部、他方の腕部の先端に被押動部と当接部を有している、レリーズ部材の係止部は、ホールド補助部材を係止し、ホールド補助部材の時計方向の回転を阻止し得るようになっている。レリーズ部材の被押動部は、図示していないカメラ本体側の部材によって押され得るようになっている。
抑止部材は、図示していない支持板に設けられたさらに他の軸に回転可能に取り付けられ、図示していない連結ばねによって、ホールド部材の往復作動に連動して往復回転させられ、セット状態においては、後羽根用係止解除部材の作動軌跡内に作動させられていてその後ホールド部材が二つの係止解除部材の軌跡外に作動させられるとき後羽根用電磁石のコイルに対して通電されていないときには後羽根用電磁石の鉄芯部材から離反作動する後羽根用係止解除部材を後羽根用係止部材１７による後羽根用第２駆動部材１２の係止を解く前に抑止するようになっている。
【００３７】
次に、中間板２と補助地板（符号省略）以外に、シャッタ地板１の背面側に配置されている構成部材を、図１を用いて説明する。なお、それらの構成部材は、例えば、上記の特開２０１１号公報に記載されている構成部材と略同じである。
シャッタ地板１と中間板２の間に配置されている先羽根は、シャッタ地板１に立設された二つの軸１ｇ，１ｎに一端を枢着されている二つのアーム３３，３４と、それらの自由端に向けて順に枢支された４枚の羽根３５，３６，３７，３８とで構成されていて、それらの最先端に枢支された羽根３８をスリット形成羽根としている。そして、アーム３３は、周知の孔に、先羽根用駆動部材１０の駆動ピン１０ｃを嵌合させていると共に、軸１ｇに対する枢着部の近傍に、二つの遮光部３３ａ，３３ｂを形成している。
【００３８】
また、中間板２と補助地板（符号省略）の間に配置されている後羽根は、シャッタ地板１に立設された二つの軸１ｈ，１ｐに一端を枢着されている二つのアーム３９，４０と、それらの自由端に向けて順に枢支された４枚の羽根４１，４２，４３，４４とで構成されていて、それらの最先端に枢支された羽根４４をスリット形成羽根としている。そして、アーム３９は、周知の孔に、後羽根用第１駆動部材１１の駆動ピン１１ｂを嵌合させていると共に、軸１ｈに対する枢着部の近傍に、二つの遮光部３９ａ，３９ｂを形成している。
【００３９】
また、シャッタ地板１の背面側には、軸１ｇ，１ｈの近傍部に、同じ構成をした二つの光電センサー４５，４６が取り付けられている。光電センサー４５，４６は、発光部と受光部とが対向して配置されていて、発光部から出射した光を受光部で受光するように構成されており、受光部が受光しているときはＨ（High）信号を出力し、受光していないときにはＬ（Low）信号を出力するようになっている。そして、アーム３３の遮光部３３ａ，３３ｂが、光電センサー４５の光路を遮断し、アーム３９の遮光部３９ａ，３９ｂが、光電センサー４６の光路を遮断し得るようになっている。
【００４０】
そして、このように構成されたフォーカルプレンシャッタでは、セット作動時には、羽根の露光作動終了状態からセット部材１３が時計方向へ回転を開始する。すると、最初に、ローラー１３ａが先羽根用駆動部材１０のローラー１０ｂを押し、先羽根用駆動部材１０を、図示していない先羽根用駆動ばねの付勢力に抗して、反時計方向へ回転させ、開口部１ａの下方位置に格納されていた先羽根の４枚の羽根３５〜３８が、隣接する羽根同士の重なり量を小さくしつつ、スリット形成羽根３８を先頭にして上方へ作動させられていく。そして、先羽根のスリット形成羽根３８と後羽根のスリット形成羽根４４の重なりが所定量に達すると、セット部材１３の他方のローラー１３ｂが、後羽根用第２駆動部材１２のローラー１２ｃを押し始め、後羽根用第２駆動部材１２は、図示していない後羽根用駆動ばねの付勢力に抗して、反時計方向へ回転させられようになる。
【００４１】
後羽根用第２駆動部材１２が、セット部材１３によって反時計方向へ回転させられると、先羽根用第１駆動部材１１も、係合部１１ａが後羽根用第２駆動部材１２の窓部１２ｂの縁に追従して、反時計方向へ回転させられ、後羽根の４枚の羽根４１〜４４は、その時点から隣接する羽根同士の重なり量を小さくしつつ上方へ作動させられていく。そして、それ以後は、先羽根と後羽根は、スリット形成羽根同士の重なり量を好適に保ちながら作動を続けていく。
【００４２】
セット作動が行われてゆき、先羽根の４枚の羽根３５〜３８が展開状態となって開口部１ａを覆い、後羽根の４枚の羽根４１〜４４が重畳状態となって開口部１ａの上方位置に格納された段階になると、後羽根用第１駆動部材１１は、駆動ピン１１ｂが、シャッタ地板１に形成されている円弧状の長孔１ｃの上端に当接して停止させられる。
【００４３】
そして、先羽根用駆動部材１０と後羽根用第２駆動部材１２は、その後も、僅かに反時計方向への回転を続けるので、先羽根の４枚の羽根３５〜３８も上方への作動を続けるが、後羽根の４枚の羽根４１〜４４は停止したままになるため、後羽根用第１駆動部材１１と後羽根用第２駆動部材１２の間に掛けられた図示していないセットばねが緊張されていく。
【００４４】
後羽根用第１駆動部材１１の回転が停止した後も、先羽根用駆動部材１０と後羽根用第２駆動部材１２が、なおも反時計方向へ回転させられていくと、先羽根用駆動部材１０は、被係止部１０ａが、その段階では既に被係止部１０ａの作動軌跡内に存在している係止部１６ａを押し、先羽根用係止部材１６を、図示していないばねの付勢力に抗して僅かに時計方向へ回転させ始める。そして、先羽根用駆動部材１０がなおも回転してそれらの接触が解かれると、先羽根用係止部材１６は、図示していないばねの付勢力によって反時計方向へ回転させられて、係止部１６ａによる被係止部１０ａの係止可能状態になる。
【００４５】
他方、上記のように、先羽根用駆動部材１０の被係止部１０ａが、先羽根用係止部材１６の係止部１６ａを押している段階では、後羽根用第２駆動部材１２も、被係止部１２ａが、既に被係止部１２ａの作動軌跡内に存在している係止部１７ａを押し、後羽根用係止部材１７を、図示していないばねの付勢力に抗して、反時計方向へ回転させ始める。そして、後羽根用第２駆動部材１２がなおも回転することによってそれらの接触が解かれると、後羽根用係止部材１７は、図示していないばねの付勢力によって時計方向へ回転させられ、係止部１７ａによる被係止部１２ａの係止可能状態になる。そして、その段階になると、カメラ本体側の部材によるセット操作部材１４の時計方向の回転が停止する。そのときの状態は、後述のオーバーセット状態である。
【００４６】
このような状態になると、図示していないカメラ本体側の部材が、セット操作部材１４のローラー１４から離れていき、セット部材１３は、図示していないばねの付勢力によって反時計方向へ回転し得るようになり、リンク部材１５を介して、セット操作部材１４を反時計方向へ回転させながら、初期位置へ復帰していく。
【００４７】
他方、この回転によって、セット部材１３のローラー１３ａ，１３ｂが、二つの駆動部材１０，１２のローラー１０ｂ，１２ｃに対する押圧力を解いていき、駆動部材１０，１２は、図示していない駆動ばねの付勢力によって時計方向へ回転させられるが、いずれも僅かに回転したところで、それらの被係止部１０ａ，１２ａが上記の各係止部材１６，１７の係止部１６ａ，１７ａによって係止され、停止させられる。また、この僅かな回転で、先羽根の４枚の羽根３５〜３８は僅かに下方へ作動させられるが、開口部１ａの一部を開いてしまうようなことはない。その後、セット部材１３が初期位置で停止すると、セット作動が完了する。そのセット完了状態は、光学ファインダを用いる撮影モードで撮影するときの撮影待機状態である。
【００４８】
また、上記構成のフォーカルプレンシャッタでは、モニタを用いる撮影モードで撮影する場合のセット作動時には、撮影者による所定のスイッチ操作により、上記光学ファインダを用いる撮影モードで撮影するときの撮影待機状態から、さらに、図示していない先羽根用係止解除部材の押動部が被押動部１６ｂを押して、先羽根用係止部材１６を時計方向へ回転させ、先羽根用駆動部材１０の係止を解かせる。すると、先羽根用駆動部材１０は、図示していない先羽根用駆動ばねの付勢力によって時計方向へ急速に回転し、先羽根の４枚の羽根３５〜３８が開口部１ａを全開にした後、駆動ピン１０ｃが緩衝部材４に当接することによって停止する。図１及び図２は、そのときの状態を示したものであって、この状態は、電子ファインダを用いる撮影モードのときの待機状態であり、被写体像をモニタで観察し得る状態である。
【００４９】
なお、セット作動時に、セット部材１３が時計方向へ回転すると、図示していない補助セット部材が反時計方向へ回転させられ、押動部によってホールド補助部材の被押動部を押す。これにより、図示しないホールド部材及びホールド補助部材が反時計方向に回転させられ、ホールド部材の先端に取り付けられている押圧部材によって、先羽根用係止解除部材が反時計方向へ回転させられるとともに、後羽根用係止解除部材が時計方向へ回転させられ、これら二つの係止解除部材の押動部が先羽根用係止部材１６と後羽根用係止部材１７の被押動部１６ｂ、１７ｂに対する押圧力を解いていき、図示していないばねによって反時計方向、時計方向へと夫々回転し、二つの駆動部材１０，１２に形成されている被係止部１０ａ，１２ａの作動軌跡内に存在するようになる。
また、ホールド部材が反時計方向へ回転させられていくと、連結ばねを介して抑止部材が時計方向へ回転させていく。そして、先羽根用係止解除部材と後羽根用係止解除部材との回転によって、各々の鉄芯部材が先羽根用電磁石と後羽根用電磁石の各々の鉄芯部材に接触する直前になると、抑止部材が後羽根用係止解除部材に接触する。その後は、連結ばねが緊張されていくようになる。
【００５０】
図示していない二つの鉄片部材は、先羽根用電磁石と後羽根用電磁石の各々の鉄芯部材に接触し、先羽根用係止解除部材と後羽根用係止解除部材の回転は停止する。ホールド部材もそれ以上は時計方向へ回転できなくなる。ホールド補助部材は、被押動部が補助セット部材の押動部に押され、第２のばねを緊張させながら僅かに回転させられたところで停止する。
【００５１】
他方、上記のように二つの鉄片部材が二つの鉄芯部材に接触した後、レリーズ部材は、それまで、ホールド補助部材の被押動部によって阻止されていた回転を許されるようになり、図示していないばねの付勢力によって反時計方向へ回転させられ、その当接部が支持板の被当接部に当接して停止させられる。それによって、レリーズ部材の係止部が、ホールド補助部材の被押動部の作動軌跡内に入り込んで、ホールド補助部材の時計方向の回転を阻止し得る状態になる。補助セット部材の回転が停止して、係止解除機構がこのような状態になったときが、オーバーセット状態である。
【００５２】
オーバーセット状態から、上記したように、レリーズ部材が初期位置へ復帰させられると、補助セット部材も時計方向へ回転させられるので、ホールド補助部材も、ホールド部材との間に掛けられた図示していない上記の第２のばねの付勢力によって時計方向へ回転させられるが、その回転は、僅かに回転したところで、ホールド補助部材の被押動部が、レリーズ部材の係止部に係止されて停止させられる。
【００５３】
そして、このときのホールド補助部材の回転は、ホールド部材との間に掛けられている図示していない第２のばねの付勢力が作用する範囲内であるから、ホールド部材は回転せず、押圧部材の二つの押圧部は、依然として二つの鉄片部材を二つの鉄芯部材に接触させており、また、抑止部材も、後羽根用係止解除部材の被抑止部に接触している。このような状態が、係止解除機構のセット完了状態、即ち光学ファインダを用いて撮影を行うときの撮影待機状態である。
【００５４】
また、上記構成のフォーカルプレンシャッタでは、上記の光学ファインダを用いる撮影モードで撮影するときの撮影待機状態から露光作動を行う場合は、撮影者が、レリーズボタンを押すと、先羽根用電磁石のコイルと後羽根用電磁石のコイルに通電する。それにより、二つの鉄片部材が二つの鉄芯部材に電磁力で吸着される。次に、図示していないカメラ本体側の部材が、レリーズ部材を押し、その後、ホールド部材は第１のばねの付勢力によって時計方向へ回転し、押圧部材の押圧部が二つの鉄芯部材から離れる。
また、ホールド部材の時計方向の回転によって、抑止部材が反時計方向へ回転させられ、後羽根用係止解除部材の作動軌跡外へ逃がされていく。
その後、先羽根用電磁石のコイルに対する通電が経たれ、鉄片部材に対する吸着力が失われ、図示していない先羽根用係止解除部材の押動部が被押動部１６ｂを押して、先羽根用係止部材１６を時計方向へ回転させ、先羽根用駆動部材１０の係止を解かせ、先羽根用駆動部材１０は、図示していない先羽根用駆動ばねの付勢力によって急速に時計方向へ回転させられ、先羽根の４枚の羽根３５〜３８は、隣接する羽根同士の重なりを大きくしつつ開口部１ａの下方へ作動し、スリット形成羽根３８の上端縁によって、開口部１ａを開いていく。
【００５５】
所定時間後に、後羽根用電磁石のコイルに対する通電が経たれ、鉄片部材に対する吸着力が失われ、後羽根用係止解除部材は、図示していないばねの付勢力によって反時計方向へ回転させられ、その過程で、押動部が、後羽根用係止部材１７の被押動部１７ｂを押していく。それによって、後羽根用係止部材１７は、図示していないばねの付勢力に抗して反時計方向へ回転させられ、それまで係止部１７ａで係止していた後羽根用第２駆動部材１２の係止を解く。
【００５６】
このようにして、後羽根用係止部材１７による係止が解かれると、後羽根用第２駆動部材１２は、図示していない後羽根用駆動ばねの付勢力によって、上記の撮影待機状態から急速に時計方向へ回転させられ、その初期段階において、窓部１２ｂの縁が後羽根用第１駆動部材１１の係合部１１ａを押すので、後羽根用第１駆動部材１１も時計方向へ回転を開始する。従って、それ以後は、二つの駆動部材１１，１２は、時計方向へ一体的に回転する。そして、後羽根用第１駆動部材１１が時計方向へ回転を開始すると、後羽根の４枚の羽根４１〜４４は、隣接する羽根同士の重なりを小さくしつつ開口部１ａ内へ作動してゆき、スリット形成羽根４４の下端縁によって、開口部１ａを上方から閉じていく。そのため、それ以後は、先羽根のスリット形成羽根３８と後羽根のスリット形成羽根４４の間に形成されたスリットにより、撮像素子の撮像面を上方から下方に向けて露光していく。
【００５７】
また、モニタを用いる撮影モードで撮影する場合には、図１及び図２の状態から、カメラ本体側の部材が、図１に示されているローラー１４ａを押して、レリーズ操作部材１４を時計方向へ回転させる。そのため、既に説明したセット作動と同様に、セット部材１３が時計方向へ回転させられ、補助セット部材が反時計方向へ回転させられるが、後羽根用第２駆動部材１２が、既に後羽根用係止部材１７によって係止された状態になっているので、セット部材１３は、ローラー１３ａによって、先羽根用駆動部材１０だけを、図示していない先羽根用駆動ばねの付勢力に抗して反時計方向へ回転させる。そして、先羽根の４枚の羽根３５〜３８が開口部１ａを閉鎖したところで、セット部材１３は、そのローラー１３ｂで後羽根用第２駆動部材１２のローラー１２ｃを押すようになり、それ以後は、先羽根用駆動部材１０と後羽根用第２駆動部材１２を回転させていく。
【００５８】
他方、補助セット部材は、その反時計方向の回転によって、ホールド部材とホールド補助部材を反時計方向へ回転させるので、押圧部材は、ホールド部材に対する姿勢を変えながら、先羽根用係止解除部材と後羽根用係止解除部材とを、各々のばねの付勢力に抗して回転させ、それらに取り付けられている鉄片部材を、鉄芯部材に接触させる。そして、セット操作部材１４のローラー１４ａからカメラ本体側の部材が離れてゆき、セット部材１３は初期位置へ復帰する。それによって、開閉駆動機構は光学ファインダを用いる撮影モードで撮影するときの撮影待機状態と同じ状態になる。
【００５９】
そのようにして光学ファインダを用いる撮影モードで撮影するときの撮影待機状態と同じ状態になると、既に説明した光学ファインダを用いる撮影モードの場合と同様に、直ちに、先羽根と後羽根による露光作動が行われ、撮影が終了する。
【００６０】
本発明は、図１、図２に一例として示したようなフォーカルプレンシャッタにおけるシャッタ駆動機構３を構成する部材を回転可能に支持する回転軸に特徴がある。
【００６１】
そこで、次に、本発明の実施例における、シャッタ駆動機構３を構成する部材を回転可能に支持する回転軸の構成について、図３、図４を用いて説明する。ここでは、便宜上、本発明における特徴的な構成である回転軸の構成を、先羽根用係止部材１６を回転可能に支持する軸１ｋに用いた場合について説明することとする。
本実施例のフォーカルプレンシャッタでは、軸１ｋは、軸体１ｋ１と、管状部材１ｋ２と、スリーブ１ｋ３とで構成される。
軸体１ｋ１は、シャッタ地板１からシャッタ地板１の表面側（即ち、羽根が配置される側とは反対側）に立設されていて、軸部１ｋ１ａと軸部１ｋ１ａよりも径方向に突出する鍔部１ｋ１ｂを有する。さらに、軸体１ｋ１には、オイルやグリス等の潤滑剤を溜めるための断面がＶ形状の溝１ｋ１ｃを有する。
管状部材１ｋ２は、軸部１ｋ１ａにおける外周面１ｋ１ａ１に回転可能に嵌合し、且つ、その一端縁１ｋ２ａが鍔部１ｋ１ｂに当接するように形成されている。
スリーブ１ｋ３は、軸１ｋにおける軸体１ｋ１の鍔部１ｋ１ｂと管状部材１ｋ２の一端縁１ｋ２ａとの当接箇所の周りを覆い、且つ、その一端縁（後述する第２の筒部１ｋ３ｂの端縁１ｋ３ｂ１）がシャッタ地板１の面と接合するように形成されている。
また、スリーブ１ｋ３は、第１の筒部１ｋ３ａと、第２の筒部１ｋ３ｂを備えている。
第２の筒部１ｋ３ｂは、第１の筒部１ｋ３ａに続くシャッタ地板１側に設けられていて第１の筒部１ｋ３ａよりも大きな径の内壁面を有し、軸体１ｋ１の鍔部１ｋ１ｂと管状部材１ｋ２の一端縁１ｋ２ａとの当接箇所から飛散する潤滑剤を溜めることのできる形状に形成されている。
また、スリープ１ｋ３は、第２の筒部１ｋ３ｂの端縁１ｋ３ｂ１が両面テープを用いてシャッタ地板１に接合、固定されている。
そして、シャッタ地板１とスリーブ１ｋ３との接合箇所に使用する両面テープは、オイル吸着シートを用いて構成されている。
【００６２】
このように構成された本実施例のフォーカルプレンシャッタにおける先羽根用係止部材１６の作動による軸１ｋからの潤滑剤の飛散を阻止する作用を説明する。
図１の状態において、レリーズボタンを押すと、先羽根用係止部材１６は、図６から図７の状態へ作動し、連写作動時には、図６から図７の動作を繰り返す。
その際、先羽根用係止部材１６は、高速回転を行う。これにより、回転軸の回転時に軸体と管状部材との間に介在する潤滑剤に遠心力が大きく働き、回転軸の停止時に嵌合端部である、軸体１ｋ１の鍔部１ｋ１ｂと管状部材１ｋ２の一端縁１ｋ２ａとの当接箇所から飛び出す。
このとき、本実施例のフォーカルプレンシャッタによれば、スリーブ１ｋ３が、飛び出た直後の潤滑剤をスリーブ１ｋ３の内壁で遮断するため、回転軸１ｋを中心とした全方向への潤滑剤の飛散を防止できる。その結果、駆動機構を制御する基板等の制御部内側への潤滑剤による汚染のリスクや、潤滑剤が長孔１ｂ等、シャッタ地板１に設けられた開口を通じて羽根側に浸入して羽根を汚染するリスクを回避できる。
また、スリーブ１ｋ３は、回転軸１ｋと同軸に回転軸１ｋにおける軸体１ｋ１の鍔部１ｋ１ｂと管状部材１ｋ２の一端縁１ｋ２ａとの当接箇所の周囲を覆うように設けたので、スリーブ１ｋ３が駆動機構における夫々の回転軸を用いた構成部材の作動を邪魔しない。また、スリーブ１ｋ３であれば、回転軸１ｋの軸まわりの僅かなスペースで地板１へ配置できる。
【００６３】
また、本実施例のフォーカルプレンシャッタによれば、スリーブ１ｋ３を、第１の筒部１ｋ３ａと、第１の筒部１ｋ３ａに続くシャッタ地板１側に設けられていて第１の筒部１ｋ３ａよりも大きな径の内壁面を有し、軸体１ｋ１の鍔部１ｋ１ｂと管状部材１ｋ２の一端縁１ｋ２ａとの当接箇所から飛散する潤滑剤を溜める第２の筒部１ｋ３ｂを備えたので、長期間にわたる使用により、軸体１ｋ１の鍔部１ｋ１ｂと管状部材１ｋ２の一端縁１ｋ２ａとの当接箇所から飛び出す潤滑剤の量が増えても、第２の筒部１ｋ３ｂで潤滑剤を溜めておくことにより、スリーブ１ｋ３とシャッタ地板１との接合箇所からの潤滑剤の浸み出しを確実に防止することができ、潤滑剤が長孔１ｂ等、シャッタ地板１に設けられた開口を通じて羽根側に浸入して羽根を汚染するリスクをより確実に回避できる。
【００６４】
また、本実施例のフォーカルプレンシャッタによれば、シャッタ地板１とスリーブ１ｋ３との接合箇所にオイル吸着シートを備えたので、スリーブ１ｋ３とシャッタ地板１との接合箇所からの潤滑剤の浸み出しを一層確実に防止することができ、潤滑剤が長孔１ｂ、シャッタ地板１に設けられた開口を通じて羽根側に浸入して羽根を汚染するリスクをより一層確実に回避できる。
【００６５】
なお、本実施例では、便宜上、上述のように、本発明における特徴的な構成である回転軸の構成を、先羽根用係止部材１６を回転可能に支持する軸１ｋに用いた場合について説明したが、本発明のフォーカルプレンシャッタにおける回転軸の構成は、シャッタ駆動機構におけるその他の構成部材を回転可能に支持する回転軸（例えば、図１に示した先羽根用駆動部材１０、後羽根用第１駆動部材１１及び後羽根用第２駆動部材１２、セット部材１３、後羽根用係止部材１７を夫々回転可能に支持する軸１ｇ，１ｈ，１ｉ，１ｍ等についても勿論適用可能である。
【００６６】
また、本実施例では、本発明のフォーカルプレンシャッタにおける回転軸を、係止タイプのフォーカルプレンシャッタに適用した例について説明したが、本発明のフォーカルプレンシャッタにおける回転軸は、羽根の開閉を行う駆動機構に軸を中心として回転する部材を備えたカメラ用フォーカルプレンシャッタであれば、どのようなタイプのシャッタにも適用可能であり、ダイレクトタイプのフォーカルプレンシャッタについても勿論適用可能である。
【符号の説明】
【００６７】
１                              シャッタ地板
１ａ，２ａ                      開口部
１ｂ，１ｃ                      長孔
１ｇ，１ｈ，１ｉ，１ｋ，１ｍ    軸
１ｋ１                          軸体
１ｋ１ａ                        軸部
１ｋ１ａ１                      外周面
１ｋ１ｂ                        鍔部
１ｋ１ｃ                        溝
１ｋ２                          管状部材
１ｋ２ａ                        一端縁
１ｋ３                          スリーブ
１ｋ３ａ                        第１の筒部
１ｋ３ｂ                        第２の筒部
１ｋ３ｂ１                      端縁
２                              補助地板
３                              シャッタ駆動機構
１０                            先羽根用駆動部材
１０ａ，１２ａ                  被係止部
１０ｂ，１２ｃ，１３ａ，１３ｂ，１４ａ  ローラー
１０ｃ，１１ｂ                  駆動ピン
１１                            後羽根用第１駆動部材
１１ａ                          係合部
１２                            後羽根用第２駆動部材
１３                            セット部材
１４                            セット操作部材
１５                            リンク部材
１５ａ                          ピン
１６                            先羽根用係止部材
１６ａ，１７ａ                  係止部
１６ｂ，１７ｂ                  被押動部
１７                            後羽根用係止部材
３３，３４，３９，４０          アーム
３３ａ，３３ｂ，３９ａ，３９ｂ  遮光部
３５〜３８，４１〜４４          羽根
４５，４６                      光電センサー
５１                            軸体
５１ａ                          軸部
５１ａ１                        外周面
５１ｂ                          鍔部
５１ｃ                          溝
５２                            管状部材
５２ａ                          一端縁
５３                            地板
５４                            シャッタ駆動機構を構成する所定の構成部材
【図１】
0006313171.tif 000002
【図２】
0006313171.tif 000003
【図３】
0006313171.tif 000004
【図４】
0006313171.tif 000005
【図５】
0006313171.tif 000006
【図６】
0006313171.tif 000007
【図７】
0006313171.tif 000008
【図８】
0006313171.tif 000009